(57)【要約】      （修正有）【課題】制御単元を利用して貯熱モジュールが予定の温度まで持続的に予熱するのを制御することにより、短時間内で飲物の温度を上げることができるため、エネルギーを節約し、使用上の安全性を高め、さらに使用上の自由度の制限を減らすことができる。【解決手段】管路６は貯熱モジュール２の一端から貯熱モジュール２の他端まで巻きつくように設けられる。貯熱モジュール２は熱エネルギーを保存すると共に、予定の温度まで維持するのに用いられる。制御単元３には少なくとも一個の温度感知部材３２、３３が形成され、温度感知部材３２、３３は貯熱モジュール２または管路６の温度を検出するのに用いられる。制御バルブ４は管路６の開閉を制御するのに用いられ、そして飲物を管路６を経て貯熱モジュール２に進入するのを導引して熱交換を行うことにより、上記飲物を予定の温度まで達するように構成されている。【選択図】図１
0003123800.tif 000002
【実用新案登録請求の範囲】
【請求項１】
管路（６）、貯熱モジュール（２）、制御バルブ（４）、液排出口（５）および制御単元（３）により構成される飲物加熱装置であって、管路（６）は貯液単元（１）と連接し、貯熱モジュール（２）には貯液単元（１）と相互に連通するための管路（６）が巻きつけられ、貯熱モジュール（２）には少なくとも一個の加熱単元（２４）が設けられ、加熱単元（２４）は貯熱モジュール（２）の温度を上げるのに用いられ、制御バルブ（４）は貯液単元（１）と貯熱モジュール（２）との間の管路（６）に設けられることにより、貯液単元（１）内の飲物が貯熱モジュール（２）を流れ経たか否かを制御し、液排水口（５）は管路（６）の末端に設けられ、制御単元（３）には第一温度感知部材（３２）が設けられ、第一温度感知部材（３２）は貯熱モジュール（２）の温度を検出するのに用いられ、さらに制御バルブ（４）とは電気的連接し、第一温度感知部材（３２）を利用して貯熱モジュール（２）の温度を検出することにより、加熱単元（２４）が作動するのを制御し、貯熱モジュール（２）が予定の温度より低くならないように維持させ、さらに制御単元（３）を操作することによって制御バルブ（４）が開くのを制御し、貯液単元（１）内の上記飲物が管路（６）を経て貯熱モジュール（２）を通過して熱交換を行うことにより、短時間内において予定の温度に達した上記飲物を取得することができることを特徴とする飲物加熱装置。
【請求項２】
貯熱モジュール（２）には第一部位（２１）が設けられ、第一部位（２１）は加熱単元（２４）を収容するのに用いられ、そして加熱単元（２４）が生じた熱エネルギーを保存することを特徴とする請求項１記載の飲物加熱装置。
【請求項３】
貯熱モジュール（２）には第二部位（２２）が設けられ、第二部位（２２）は第一部位（２１）に隣接し、第二部位（２２）は管路（６）が巻きつけて通過するのに用いられることを特徴とする請求項２記載の飲物加熱装置。
【請求項４】
貯熱モジュール（２）には少なくとも一個の熱伝導調節器（２３）が設けられ、熱伝導調節器（２３）は第一部位（２１）と第二部位（２２）の間に形成されることにより、第一部位（２１）と第二部位（２２）との間の熱伝導を制御し調整することを特徴とする請求項３記載の飲物加熱装置。
【請求項５】
加熱単元（２４）は電熱管または電子発熱装置から選択することを特徴とする請求項１記載の飲物加熱装置。
【請求項６】
貯液単元（１）は貯液容器または濾水器の管路から選択することを特徴とする請求項１記載の飲物加熱装置。
【請求項７】
制御単元（３）には他に第二温度感知単元（３３）が設けられ、第二温度感知単元（３３）は選択的に貯熱モジュール（２）の第二部位（２２）に設置され、さらに制御単元（３）とは電気的連接するように形成されることを特徴とする請求項３記載の飲物加熱装置。
【請求項８】
制御単元（３）には他に第二温度感知単元（３３）が設けられ、第二温度感知単元（３３）は選択的に貯熱モジュール（２）に近い管路（６）に設置され、さらに制御単元（３）とは電気的連接するように形成されることを特徴とする請求項３記載の飲物加熱装置。
【請求項９】
制御単元（３）には他に液位感知部材（３１）が設けられ、液位感知部材（３１）は貯液単元（１）内に設置されることにより、貯液単元（１）内の上記飲物の残量を検出することを特徴とする請求項１記載の飲物加熱装置。
【請求項１０】
他に制御部材（５１）が設けられ、制御部材（５１）により液排出口（５）の開閉を制御し、さらに制御部材（５１）は制御単元（３）とは電気的連接することにより、制御バルブ（４）の開閉を制御することを特徴とする請求項１記載の飲物加熱装置。
【請求項１１】
第一温度感知部材（３２）は貯熱モジュール（２）の第一部位（２１）の温度が予定の下限温度に達していないのを検出した時、制御単元（３）は貯熱モジュール（２）の加熱単元（２４）を起動して加熱を行うと同時に、制御バルブ（４）が開けないように制御することにより、上記飲物が管路（６）を経て貯熱モジュール（２）に導入されるのを防止することを特徴とする請求項１記載の飲物加熱装置。
【請求項１２】
第二温度感知部材（３３）は貯熱モジュール（２）の第二部位（２２）の温度が上記予定の温度に達していないのを検出した時、制御単元（３）は貯熱モジュール（２）の加熱単元（２４）を起動して加熱を行うと同時に、制御バルブ（４）が開けないように制御することにより、上記飲物が管路（６）を経て貯熱モジュール（２）に導入されるのを防止することを特徴とする請求項７記載の飲物加熱装置。
【請求項１３】
第一温度感知部材（３２）と第二温度感知部材（３３）は貯熱モジュール（２）の温度が上限温度を超えたのを検出した時、制御単元（３）は加熱単元（２４）が加熱を停止するのを制御することを特徴とする請求項７記載の飲物加熱装置。
【請求項１４】
液位感知部材（３１）は貯液単元（１）内の上記飲物の量が低過ぎるのを検出した時、制御単元（３）は制御バルブ（４）が開けないように制御することを特徴とする請求項９記載の飲物加熱装置。
【請求項１５】
制御バルブ（４）は電磁バルブまたはポンプから選択することを特徴とする請求項１記載の飲物加熱装置。
【考案の詳細な説明】
【技術分野】
【０００１】
本考案は、飲物加熱装置に関するもので、特に貯熱モジュールを利用して予め熱エネルギーを保存することにより、短時間内において飲物の温度を上げる飲物加熱装置に係るものである。
【背景技術】
【０００２】
図４を参照すると、従来の飲物加熱装置８において、框体８１および熱エネルギー生成単元８２が含まれる。框体８１は好ましくはアルミ合金またはステンレス鋼の材質からなり、框体８１は飲物を収容するのに用いられる。熱エネルギー生成単元８２は框体８１の外表面を被覆するように設けられ、框体８１を加熱することができる。框体８１には進水口８１１、排水口８１２と通気口８１３が設けられ、進水口８１１は框体８１の相対的に高い位置に設けられて貯液タンク（図示せず）と連接することにより、上記貯液タンクの飲物を框体８１に導入することができる。排水口８１２は框体８１に相対して比較的低い位置に設けられ、熱交換を完成した上記飲物を排出することができる。通気口８１３は進水口８１１に隣接する位置に設けられ、排気すると同時に框体８１の内部の気圧が平衡な状態を維持するのに用いられることができる。上記従来の飲物加熱装置を使用する場合、先ず上記飲物を進入口７８１１を経由して框体８１の内部に導入し、それから熱エネルギー生成単元８２を起動して加熱の動作を行うことにより、框体８１を加熱すると同時に上記飲物の温度を高めることができ、そして最後に排水口８１２を経て加熱された上記飲物を取得することができるようにとしたものがある。
【０００３】
また、図５を参照すると、従来の飲物加熱装置９において、貯液タンク９１、加熱タンク９２、制御器９３と排水口９４が含まれる。貯液タンク９１は管路を通じて加熱タンク９２と相互に連通するように形成され、さらに貯液タンク９１と加熱タンク９２の間には水ポンプ（図示せず、すなわちポンプ）が設置される。加熱タンク９２は好ましくは高導熱性の材質（例えば、アルミ、ステンレス鋼など）により製成され、そして加熱器（図示せず）が設けられ、上記加熱器は加熱タンク９２の温度を上げるのに用いられる。制御器９３は上記加熱器を起動するように制御するのに用いられる。排水口９４は管路を利用して加熱タンク９２と連接することにより、加熱された上記飲物は排水口９４まで流れる。そして、従来の飲物加熱装置を使用しようとする時、排水口９４を開いて制御器９３が上記水ポンプを起動するのを制御することにより、貯液タンク９１内の上記飲物は上記管路を経て加熱タンク９２内に導入される。また、制御器９３を利用して加熱タンク９２の上記加熱器を起動することにより、短時間内において加熱タンク９２の温度を迅速に高める。上記飲物は上記管路を通じて加熱タンク９２を経て排水口９４まで流れ、加熱タンク９２の内部の管路は迂回の螺旋状に環設されることにより、比較的長い熱交換の径路が形成されるため、上記飲物と加熱タンク９２との間の熱交換の効率を高めることができるようにとしたものがある（例えば、特許文献１を参照）。
【特許文献１】中華民国公告第２８２１３２号
【考案の開示】
【考案が解決しようとする課題】
【０００４】
上記のような従来の飲物加熱装置においては、下記の改善すべき問題点を有している。例えば、上記飲物が熱を受けて沸騰の状態までなった時、上記飲物は大量な熱エネルギーを吸収して蒸気の状態になり易く、そして通気口８１３を経由して框体８１の外部に散逸してしまうため、厖大な熱エネルギーの浪費になってしまうという問題点を有している。また、上記蒸気状態の飲物は大量な熱エネルギーを持ち去り易いため、框体８１の内部の飲物は高温の状態を維持し難くなり、熱エネルギー生成単元８２は繰り返し加熱して上記飲物の温度を維持しなければならないため、上記飲物を繰り返し沸騰しなければならず、厖大なエネルギーの損耗になるという問題点を有している。
【０００５】
また、上記のような従来の飲物加熱装置においては、下記の改善すべき問題点を有している。例えば、比較的高いパワーを利用して加熱タンク９２を瞬間的に加熱することにより、短時間内において加熱タンク９２の温度を上げることができるが、瞬間的な電力の過負荷で危険が生じ易いため、使用上の自由度の制限と危険性が増えてしまうという問題点を有している。さらに、極短時間内で加熱タンク９２の温度を常温から比較的高い予定の温度まで達させるのを制御するのは極めて容易ではないという問題点を有している。このように、上記のような従来の飲物加熱装置をさらに改良しなければならない。
【０００６】
本考案はこのような問題点に鑑みて考案したものであって、その目的とするところは、制御単元を利用して貯熱モジュールが予定の温度まで持続的に予熱するのを制御することにより、貯熱モジュールが短時間内で飲物の温度を上げることができるため、確実にエネルギーを有効に節約し、使用上の安全性を高め、さらに使用上の自由度の制限を減らすことができる飲物加熱装置を提供しようとするものである。
【０００７】
本考案の第一の目的は、制御単元を利用して貯熱モジュールの予熱と予定の温度の維持を制御し、熱エネルギーを上記貯熱モジュール内に予め保存することにより、飲物を予定の温度まで迅速に加熱して飲用することができるため、上記飲物の温度を迅速に上げ、さらにエネルギーの散逸を減らすことができる飲物加熱装置を提供しようとするものである。
【０００８】
本考案の第二の目的は、制御単元には制御バルブと少なくとも一個の温度感知部材が設けられ、上記温度感知部材は貯熱モジュールの温度を感知し、さらに制御バルブの開閉を制御することにより、飲物が予定の温度まで達した時だけ飲用できるのを確保することができるため、飲用の品質を高め、さらに安全性と衛生性を高めることができる飲物加熱装置を提供しようとするものである。
【課題を解決するための手段】
【０００９】
上記目的を達成するために、本考案による飲物加熱装置は、下記のようになるものである。すなわち、
管路、貯熱モジュール、制御バルブ、液排出口および制御単元により構成される。管路は貯液単元と連接する。貯熱モジュールには貯液単元と相互に連通するための管路が巻きつけられ、貯熱モジュールには少なくとも一個の加熱単元が設けられ、加熱単元は貯熱モジュールの温度を上げるのに用いられる。制御バルブは貯液単元と貯熱モジュールとの間の管路に設けられることにより、貯液単元内の飲物が貯熱モジュールを流れ経たか否かを制御する。液排水口は管路の末端に設けられる。制御単元には第一温度感知部材が設けられ、第一温度感知部材は貯熱モジュールの温度を検出するのに用いられ、さらに制御バルブとは電気的連接する。第一温度感知部材を利用して貯熱モジュールの温度を検出することにより、加熱単元が作動するのを制御し、貯熱モジュールが予定の温度より低くならないように維持させ、さらに制御単元を操作することによって制御バルブが開くのを制御し、貯液単元内の上記飲物が管路を経て貯熱モジュールを通過して熱交換を行うことにより、短時間内において予定の温度に達した上記飲物を取得することができる。
【００１０】
本考案による飲物加熱装置は、貯熱モジュールには第一部位が設けられ、第一部位は加熱単元を収容するのに用いられ、そして加熱単元が生じた熱エネルギーを保存することもできる。また、貯熱モジュールには第二部位が設けられ、第二部位は第一部位に隣接し、第二部位は管路が巻きつけて通過するのに用いられることもできる。また、貯熱モジュールには少なくとも一個の熱伝導調節器が設けられ、熱伝導調節器は第一部位と第二部位の間に形成されることにより、第一部位と第二部位との間の熱伝導を制御し調整することもできる。また、加熱単元は電熱管または電子発熱装置から選択することもできる。また、貯液単元は貯液容器または濾水器の管路から選択することもできる。また、制御単元には他に第二温度感知単元が設けられ、第二温度感知単元は選択的に貯熱モジュールの第二部位に設置され、さらに制御単元とは電気的連接するように形成されることもできる。また、制御単元には他に第二温度感知単元が設けられ、第二温度感知単元は選択的に貯熱モジュールに近い管路に設置され、さらに制御単元とは電気的連接するように形成されることもできる。また、制御単元には他に液位感知部材が設けられ、液位感知部材は貯液単元内に設置されることにより、貯液単元内の上記飲物の残量を検出することもできる。また、他に制御部材が設けられ、制御部材により液排出口の開閉を制御し、さらに制御部材は制御単元とは電気的連接することにより、制御バルブの開閉を制御することもできる。また、第一温度感知部材は貯熱モジュールの第一部位の温度が予定の下限温度に達していないのを検出した時、制御単元は貯熱モジュールの加熱単元を起動して加熱を行うと同時に、制御バルブが開けないように制御することにより、上記飲物が管路を経て貯熱モジュールに導入されるのを防止することもできる。また、第二温度感知部材は貯熱モジュールの第二部位の温度が上記予定の温度に達していないのを検出した時、制御単元は貯熱モジュールの加熱単元を起動して加熱を行うと同時に、制御バルブが開けないように制御することにより、上記飲物が管路を経て貯熱モジュールに導入されるのを防止することもできる。また、第一温度感知部材と第二温度感知部材は貯熱モジュールの温度が上限温度を超えたのを検出した時、制御単元は加熱単元が加熱を停止するのを制御することもできる。また、液位感知部材は貯液単元内の上記飲物の量が低過ぎるのを検出した時、制御単元は制御バルブが開けないように制御することもできる。また、制御バルブは電磁バルブまたはポンプから選択することもできる。
【考案の効果】
【００１１】
本考案の飲物加熱装置によれば、制御単元を利用して貯熱モジューの予熱と予定の温度の維持を制御し、熱エネルギーを上記貯熱モジュール内に予め保存することにより、飲物を予定の温度まで迅速に加熱して飲用することができるため、上記飲物の温度を迅速に上げ、さらにエネルギーの散逸を減らすことができるという利点がある。
【００１２】
本考案の飲物加熱装置によれば、制御単元には制御バルブと少なくとも一個の温度感知部材が設けられ、上記温度感知部材は貯熱モジュールの温度を感知し、さらに制御バルブの開閉を制御することにより、飲物が予定の温度まで達した時だけ飲用できるのを確保することができるため、飲用の品質を高め、さらに安全性と衛生面を高めることができるという利点がある。
【考案を実施するための最良の形態】
【００１３】
本考案の実施の形態について、以下、図面を参照して説明する。
【実施例１】
【００１４】
図１を参照すると、本考案の実施例１の飲物加熱装置には貯液単元１、貯熱モジュール２、制御単元３、制御バルブ４および液排出口５が含まれる。貯液単元１は選択的に貯液の容器などの装置を使用することができ、そして管路６を利用して貯熱モジュール２と相互に連接することにより、飲物を導引して貯熱モジュール２に進入させる。貯熱モジュール２は高導熱性の材質（例えば、アルミ、銅またはその合金など）により製成され、貯熱モジュール２は熱エネルギーの保存および予定の温度を維持するのに用いられる。制御単元３は電子制御回路を有し、各部材の間の導通と作動を制御するのに用いられる。制御バルブ４は好ましくは電磁バルブまたはポンプなどの装置から選択し、制御バルブ４は制御単元３とは電気的連接することにより、管路６の開閉を制御することができる。制御バルブ５は管路６の末端に設けられ、制御バルブ５は上記飲物を排出して飲用するのに用いられる。
【００１５】
図１、２を参照すると、本考案の実施例１の飲物加熱装置の貯熱モジュール２には第一部位２１、第二部位２２、少なくとも一個の熱伝導調節器２３と少なくとも一個の加熱単元２４が含まれる。第一部位２１は選択的に貯熱モジュール２の中心位置に位置するように形成されることにより、充分な熱エネルギーを蓄えることができる。第二部位２２は選択的に第一部位２１の外周側に隣接するように形成され、第二部位２２は管路６が迂回して巻きつけるのに用いられるため、上記飲物は管路６を経て貯熱モジュール２を流れ経ることができる。熱伝導調節器２３は第一部位２１と第二部位２２との間に形成されることにより、第一部位２１と第二部位２２との熱伝導のスピードを制御し調整することができるため、第一部位２１と第二部位２２との間には予定の温度差が形成される。加熱単元２４は好ましくは電熱管または電子発熱装置などから選択し、加熱単元２４は制御単元３とは電気的連接し、そして第一部位２１に設置されるため、貯熱モジュール２に対して加熱を行うことができる。
【００１６】
再び図１を参照すると、本考案の実施例１の飲物加熱装置の制御単元３には液位感知部材３１、第一温度感知部材３２と第二温度感知部材３３が設けられる。液位感知部材３１は選択的に貯液単元１内に設置され、液位感知部材３１により貯液単元１の飲物の残量を検出することができる。第一温度感知部材３２は選択的に貯熱モジュール２の第一部位２１に貼接されることにより、第一部位２１の即時の温度を検出することができる。第二温度感知部材３３は選択的に貯熱モジュール２の第二部位２２または貯熱モジュール２に近い管路６の出口の位置に設置されることにより、第二部位２２または管路６の即時の温度を検出することができる。液排出口５は制御部材５１の制御を受けて飲物を排出するか否かを決定し、制御部材５１は制御単元３との電気的連接を制御する。制御部材５１が指令を制御単元３まで伝送することにより、制御単元３は制御バルブ４が開いたり閉めたりするのを選択的に制御することができる。
【００１７】
再び図１、２を参照すると、本考案の実施例１の飲物加熱装置を使用しようとする時、先ず電源（図示せず）を起動し、加熱単元２４を貯熱モジュール２の第一部位２１と第二部位２２に対して加熱の作動を行わせ、第一部位２１の温度が予定の温度になるまで加熱し続ける。制御単元３の第一温度感知部材３２が第一部位２１の温度が上限温度に達したと検出した時、第一温度感知部材３２はオフの信号を制御単元３まで伝送することにより、制御単元３は加熱単元２４に加熱の作動を停止するように制御するため、貯熱モジュール２の温度が高くなり過ぎるのを避けることができる。これにより、大量な熱エネルギーを第一部位２１内に保存すると共に、さらに熱伝導調節器２３を利用して貯熱モジュール２の第二部位２２の温度が予定の温度に達するのを制御する。貯熱モジュール２は飲物が進入する前に予め加熱の方式を利用して熱エネルギーを保存しておくため、貯熱モジュール２は比較的低いパワーの加熱単元２４を選択して予熱を行うことができる。そして、高いパワーの加熱単元２４を採用して瞬間的な加熱を行う必要がないため、本考案においてはパワーが過大になるとの原因から生じる危険性および選択上における制限をさらに減らすことができる。
【００１８】
それから、再び図１、２を参照すると、制御部材５１を操作してオープンの信号を制御単元３まで輸送すると、同時に制御単元３の第二温度感知部材３３は第二部位２２または管路６の温度が予定の温度に達しているか否かを検出する。仮に第二部位２２は予定の温度に達した場合、制御単元３はオープンの信号を制御バルブ４まで伝送することにより、管路６を導通するため、貯液単元１内の飲物を管路６内に導入する。それに反して、仮に第二部位２２が予定の温度に達していない場合、制御単元３は上記オープンの信号を遮断することにより、制御バルブ４は閉止の状態を維持する。
【００１９】
再び図１、２を参照すると、上記飲物が管路６を経て貯熱モジュール２に進入した後、上記飲物は管路６に沿って迂回しながら貯熱モジュール２の第二部位２２の内部を前進する。貯熱モジュール２の第一部位２１はすでに大量な熱エネルギーを保存しているため、上記熱エネルギーは持続的に第二部位２２まで伝導され、そしてさらに進んで上記飲物まで熱交換されるため、短時間内において迅速に上記飲物の温度を加熱して予定の温度まで達することができる。上記飲物が貯熱モジュール２を流れ過ぎた後、上記飲物の温度は直ちに予定の温度に達し、それから管路６を経て上記飲物を液排出口５まで導引し、そして排出して飲用する。
【００２０】
再び図１、２を参照すると、上記飲物加熱装置を使用していない時、制御単元３の第一温度感知部材３２と第二温度感知部材３３は貯熱モジュール２の第一部位２１と第二部位２２の温度を検出し続け、仮に第一部位２１の温度が予定の下限温度より低くなると、または第二部位２２の温度が予定の温度より低くなると、制御単元３は第一温度感知部材３２と第二温度感知部材３３の信号を接収して加熱単元２４を起動して加熱の作動を行うことにより、貯熱モジュール２は充分な熱エネルギーを保存し続けることができる。それに反して、仮に第一部位２１と第二部位２２のその内の一ヶ所の温度が予定の上限温度より高くなると、制御単元３は加熱単元２４が加熱を停止するのを制御することにより、貯熱モジュール２の温度が高くなり過ぎるのを避けることができるため、エネルギーの消耗と使用上の危険性をさらに低く抑えることができる。また、貯液単元１内に位置する液位感知部材３１は貯液単元１の飲物の残量を検出するのに用いられ、仮に貯液単元１内の飲物の量が不足する場合、液位感知部材３１はオフの信号を回送し、そして制御単元３を通じて制御バルブ４まで転送するため、制御バルブ４は開けなくなる。同時に、制御単元３は警告の信号を発し、警告ランプ（図示せず）またはブザー（図示せず）を作動させることにより、使用者に飲物を貯液単元１内まで補給するように気づかせ、この時に仮に制御部材５１を押圧して起動しても上記飲物を取得して飲用することができない。
【実施例２】
【００２１】
図３を参照すると、本考案の実施例２の飲物加熱装置が掲示される。実施例１と比較してみると、実施例２において管路６は選択的に貯液単元１と連接し、貯液単元１は濾水器またはＲＯ逆浸透から選択することができる。制御単元３は液位感知部材３１と第二温度感知部材３３を省略したもので、そして第一温度感知部材３２だけが設けられる。第一温度感知部材３２は選択的に貯熱モジュール２の第一部位２１（または第二部位２２）に設置されることにより、さらに進んで第一部位２１（または第二部位２２）の温度を検出することができる。
【００２２】
再び図３を参照すると、仮に第一部位２１の温度が下限温度より低くなると、制御単元３は貯熱モジュール２の加熱単元２４を起動することにより、貯熱モジュール２の温度を高めると共に、熱エネルギーを第一部位２１に保存することができる。また、制御単元３は暫く制御バルブ４を閉止し、すなわち制御部材５１が作動するのを制御して制御バルブ４が開く信号を制御単元３まで伝送し、制御単元３はやはり制御バルブ４に閉止の状態を維持させるため、使用者が予定の温度に達していない飲物を飲用してしまうのを避けることができる。さらに、本考案の実施例２においては液位感知部材３１と第二温度感知部材３３を省略しているため、組立の部材を減らすと共に、部材の体積を減らすことができ、さらに組立の自由度と実用性を高めることができる。
【産業上の利用可能性】
【００２３】
上述の如く、図４に示す従来の飲物加熱装置によれば、先ず飲物を蒸気の状態にしてから通気口８１３を経てから框体８１の外部まで散逸してしまうため、厖大な熱エネルギーの浪費になると同時に、過量な熱エネルギーが散逸してしまうという問題点をがあった。また、図５に示すもう一つの従来の飲物加熱装置によれば、比較的高いパワーで加熱タンク９２を瞬間的に加熱することにより、瞬間的な電力の過負荷で危険が生じ易いため、使用上の自由度の制限と危険性が増えてしまい、さらに短時間内において予定の温度まで加熱した飲物を取得できないなどの問題点があった。しかし、図１に示す本考案の飲物加熱装置によれば、制御単元３を利用して貯熱モジュール２の少なくとも一個の加熱単元２４を制御し、貯熱モジュール２が予定の温度より低くならないように予め加熱することにより、熱エネルギーを貯熱モジュール２の第一部位２１内に保存し、さらに貯熱モジュール２は短時間内において飲物の温度を上記予定の温度に近い温度まで上げることができるため、確実にエネルギーの浪費を減らすことができると共に、エネルギーを節約し、使用上の安全性を高めることができる。
【００２４】
本考案は、その精神及び必須の特徴事項から逸脱することなく他のやり方で実施することができる。従って、本明細書に記載した好ましい実施例は例示的なものであり、限定的なものではない。
【図面の簡単な説明】
【００２５】
【図１】本考案の実施例１の飲物加熱装置による組み立てられた状態を示す断面図である。
【図２】図１のＡ−Ａに沿った断面図である。
【図３】本考案の実施例２の飲物加熱装置による組み立てられた状態を示す断面図である。
【図４】従来の飲物加熱装置による組み立てられた状態を示す断面図である。
【図５】もう一つの従来の飲物加熱装置を説明する図である。
【符号の説明】
【００２６】
１    貯液単元                        ２    貯熱モジュール
２１    第一部位                      ２２    第二部位
２３    熱伝導調節器                  ２４    加熱単元
３    制御単元                      ３１    液位感知部材
３２    第一温度感知部材              ３３    第二温度感知部材
４    制御バルブ                      ５    液排出口
５１    制御部材                        ６    管路
８    飲物加熱装置                  ８１    框体
８１１    進水口                      ８１２    排水口
８１３    通気口                        ８２    熱エネルギー生成単元
９    飲物加熱装置                  ９１    貯液タンク
９２    加熱タンク                    ９３    制御器
９４    排水口
【図１】
0003123800.tif 000003
【図２】
0003123800.tif 000004
【図３】
0003123800.tif 000005
【図４】
0003123800.tif 000006
【図５】
0003123800.tif 000007